(57)【要約】【課題】例えば高齢の使用者が、換気装置を所定の態様で操作した場合に、使用者と離れて暮らす家族が、使用者の上記操作を確認することにより使用者の安否を確認することができ、しかも、換気の必要がない場合に換気運転が行われてしまうことによりエネルギが無駄に消費されることのない換気装置を提供する。【解決手段】通信機能を具備する外部機器との間で通信信号の送受信を行う送受信部２２と、外部機器２Ｘへの通信を発令する通信スイッチとを備えているとともに、制御部２０は、排気用ファン発停用スイッチ、または、通信スイッチの操作が行われたことを検出したときに、送受信部から外部機器に対して、使用者により操作が行われた旨の信号を送出するように構成する。【選択図】図５
2020133936.tif 000002
【特許請求の範囲】
【請求項１】
排気用ファンと、前記排気用ファンを駆動するモータと、前記モータの発停を行う排気用ファン発停用スイッチと、前記排気用ファン発停用スイッチの操作に応じて前記モータの駆動を制御する制御部とを備えた換気装置であって、
通信機能を具備する外部機器との間で通信信号の送受信を行う送受信部と、
前記外部機器への通信を発令する通信スイッチと
を備えているとともに、
前記制御部は、前記排気用ファン発停用スイッチ、または、前記通信スイッチの操作が行われたことを検出したときに、前記送受信部から前記外部機器に対して、使用者により前記操作が行われた旨の信号を送出するように構成されていること
を特徴とする換気装置。
【請求項２】
前記排気用ファン発停用スイッチが、その操作によって前記モータへの通電を停止する停止スイッチを備え、前記停止スイッチが前記通信スイッチを兼用するように構成されていることを特徴とする請求項１記載の換気装置。
【請求項３】
当該換気装置の下方を照明する発光部と、その操作によって前記発光部による照明の入り切りを行う照明スイッチとを備え、前記照明スイッチが前記通信スイッチを兼用するように構成されていることを特徴とする請求項１記載の換気装置。
【請求項４】
前記通信スイッチとして専用のスイッチを備えるとともに、前記通信スイッチ上に、または、前記通信スイッチの近傍に、所定のインターバル時間で、点灯、または、点滅する表示部を備えていることを特徴とする請求項１記載の換気装置。
【請求項５】
無線通信によって、前記操作が行われたことを検出した旨の信号の送信が行われるように構成されていることを特徴とする請求項１〜４のいずれかに記載の換気装置。
【請求項６】
無線中継器を介して、インターネットにより、前記操作が行われたことを検出した旨の信号の送信が行われるように構成されていることを特徴とする請求項５記載の換気装置。
【請求項７】
携帯電話回線を介して、前記操作が行われたことを検出した旨の信号の送信が行われるように構成されていることを特徴とする請求項５記載の換気装置。
【発明の詳細な説明】
【技術分野】
【０００１】
本発明は、換気装置に関し、詳しくは、外部機器との間で通信を行うことができるように構成された換気装置に関する。
【背景技術】
【０００２】
換気装置の中には、微弱電波による通信を行うことができるようにした換気装置（レンジフード）がある。そして、特許文献１には、ガス調理器との間で、微弱電波による通信を行うことできるように構成された換気装置（レンジフード）が記載されている。
【０００３】
この特許文献１に開示されている換気装置（レンジフード）の場合、微弱電波ではあるものの、通信を行うことができるように構成されているので、例えば、中継器（ルータ）などで中継することで、スマートフォンなどの携帯端末との通信を行うように構成することも可能である。
【０００４】
そして、スマートフォンなどの携帯端末との通信を行うように構成した場合、使用者が換気装置（レンジフード）を使用したことを遠方において確認することができるようになる。
【０００５】
つまり、例えば、使用者が高齢者である場合に、使用者宅に当該換気装置を設置しておき、この換気装置が使用されたときに、上記使用者と離れて暮らす親族が所有する携帯端末（スマートフォンなど）に、当該換気装置が使用されたことを通信によって通知することで、高齢の使用者と離れて暮らす親族は、高齢の使用者が換気装置を使用したことを知ることができ、高齢の使用者の安否を確認することができる。
【先行技術文献】
【特許文献】
【０００６】
【特許文献１】特開２０１７−１８０９８０号公報
【発明の概要】
【発明が解決しようとする課題】
【０００７】
しかしながら、高齢の使用者宅に当該換気装置（レンジフード）を設置しておき、当該換気装置の使用によって、上記高齢の使用者の安否を確認することを想定した場合、本来換気は不要であるのにもかかわらず、上記高齢の使用者の安否を確認するためだけに当該換気装置を使用したのでは、換気装置による換気運転によってエネルギが無駄に消費されることになるため、なんらかの対策が施されていることが望ましい。
【０００８】
本発明は、上記の課題を解決することが可能な換気装置を提供するものであり、例えば、当該換気装置を上記高齢の使用者が所定の態様で操作した場合に、その操作が行われたことを確認することで、使用者と離れて暮らす家族が高齢の使用者の安否を確認することができ、しかも、換気が必要でない場合に、換気装置が運転（換気運転）されることによって、エネルギが無駄に消費されるという事態の発生を抑制することが可能な換気装置を提供することを目的とする。
【課題を解決するための手段】
【０００９】
上記の目的を達成するために、本発明の換気装置は、
排気用ファンと、前記排気用ファンを駆動するモータと、前記モータの発停を行う排気用ファン発停用スイッチと、前記排気用ファン発停用スイッチの操作に応じて前記モータの駆動を制御する制御部とを備えた換気装置であって、
通信機能を具備する外部機器との間で通信信号の送受信を行う送受信部と、
前記外部機器への通信を発令する通信スイッチと
を備えているとともに、
前記制御部は、前記排気用ファン発停用スイッチ、または、前記通信スイッチの操作が行われたことを検出したときに、前記送受信部から前記外部機器に対して、前記使用者により前記操作が行われた旨の信号を送出するように構成されていること
を特徴としている。
【００１０】
本発明の換気装置においては、前記排気用ファン発停用スイッチが、その操作によって前記モータへの通電を停止する停止スイッチを備え、前記停止スイッチが前記通信スイッチを兼用するように構成されていることができる。
【００１１】
また、当該換気装置の下方を照明する発光部と、その操作によって前記発光部による照明の入り切りを行う照明スイッチとを備え、前記照明スイッチが前記通信スイッチを兼用するように構成することもできる。
【００１２】
また、前記通信スイッチとして専用のスイッチを備えるとともに、前記通信スイッチ上に、または、前記通信スイッチの近傍に、所定のインターバル時間で、点灯、または、点滅する表示部を備えていることが好ましい。
【００１３】
また、無線通信によって、前記操作が行われたことを検出した旨の信号の送信が行われるように構成されていることが好ましい。
【００１４】
また、無線中継器を介して、インターネットにより、前記操作が行われたことを検出した旨の信号の送信が行われるように構成されていることが好ましい。
【００１５】
また、携帯電話回線を介して、前記操作が行われたことを検出した旨の信号の送信が行われるように構成されていることが好ましい。
【発明の効果】
【００１６】
本発明の換気装置は、上述のように構成されており、制御部が排気用ファン発停用スイッチ、または、通信スイッチの操作が行われたことを検出したとき、制御部は、送受信部から外部機器に対して、使用者により操作が行われたことを検出した旨の信号を送出するように構成されているので、例えば、使用者が高齢者で、外部機器を所持しているものが遠方に居住する高齢者の親族であるような場合において、使用者が排気用ファン発停用スイッチ、または、通信スイッチの操作を行った場合に、その旨が外部機器に送信されるため、使用者と離れて遠方に居住する、上記外部機器を所持する親族が、外部機器により上記操作が行われたことを知ることで、遠方の高齢者（使用者）の安否を確認することができる。
【００１７】
しかも、換気が必要でない場合に換気装置が運転（換気運転）されてしまうことによって、エネルギが無駄に消費されるという事態が生じることを抑制することが可能な換気装置を実現することができる。
【００１８】
また、本発明の換気装置において、排気用ファン発停用スイッチが、その操作によってモータへの通電を停止する停止スイッチを備え、停止スイッチが通信スイッチを兼用するように構成されている場合、専用の通信スイッチを設けることが不要になり、コストの低減を図ることができる。
【００１９】
また、当該換気装置の下方を照明する発光部と、その操作によって発光部による照明の入り切りを行う照明スイッチとを備え、照明スイッチが通信スイッチを兼用するように構成した場合も、専用の通信スイッチを設けることが不要になり、コストの低減を図ることができる。
【００２０】
また、通信スイッチとして専用のスイッチを備えるとともに、通信スイッチ上に、または、通信スイッチの近傍に、所定のインターバル時間で、点灯、または、点滅する表示部を備えた構成とした場合、使用者が、通信スイッチを操作することを失念することが回避され、本発明をより実効あらしめることが可能になる。
【００２１】
また、無線通信によって、上記操作が行われたことを検出した旨の信号の送信を行うように構成した場合、外部機器との間で通信信号の送受信を行うための配線の接続が不要になり、構成が簡潔で、使い勝手の良好な換気装置を提供することが可能になる。
【００２２】
また、無線中継器を介して、インターネットにより、上記操作が行われたことを検出した旨の信号の送信を行うように構成した場合、外部機器が換気装置から離れた場所にあっても、上記操作が行われたことを外部機器に確実に送信することが可能で、設置位置の自由度が高く、使い勝手の良好な換気装置を提供することができる。
【００２３】
また、携帯電話回線を介して、上記操作が行われたことを検出した旨の信号の送信を行うように構成した場合、設置位置の自由度が高く、しかも、インターネットにより通信を行う場合に必要なネットの接続に必要な設定が不要で、使い勝手の良好な換気装置を提供することができる。
【図面の簡単な説明】
【００２４】
【図１】本発明の一実施形態にかかる換気装置の切欠き正面図である。
【図２】本発明の一実施形態にかかる換気装置と外部機器との無線通信の概要を示す図である。
【図３】本発明の一実施形態にかかる換気装置と外部機器との無線通信の変形例の概要を示す図である。
【図４】本発明の一実施形態にかかる換気装置と外部機器との無線通信の他の変形例の概要を示す図である。
【図５】本発明の一実施形態にかかる換気装置と外部機器との無線通信の概要を示すブロック図である。
【図６】本発明の別実施形態にかかる換気装置と外部機器との無線通信の概要を示すブロック図である。
【図７】本発明の変形例にかかる通信スイッチを備えた換気装置の切欠き正面図である。
【発明を実施するための形態】
【００２５】
以下、本発明の実施形態を示して、その特徴とするところをさらに詳しく説明する。
【００２６】
［実施形態］
図１に示した本実施形態にかかる換気装置（本実施形態ではレンジフード）１１０は、ガスコンロ（図示せず）とともに、台所に設置されて用いられる換気装置である。
【００２７】
＜換気装置の基本構成＞
以下、換気装置の基本構成について、図１を参照しつつ説明した後、本発明の特徴的な構成について説明する。
【００２８】
図１に示すように、本実施形態にかかるレンジフード１１０は、排気用ファン１０１と、排気用ファン１０１を駆動するモータ１０７と、台所内の空気の吸い込み口であるフード部１０３と、排気ダクト１０６を備えている。
【００２９】
そして、排気用ファン１０１を駆動するモータ１０７に通電して、排気用ファン１０１を駆動することにより、フード部１０３から吸い込んだ台所内の空気が、排気ダクト１０６を経由して、台所の外部に排出されるように構成されている。
【００３０】
なお、本実施形態にかかる換気装置（レンジフード）１１０においては、駆動用の電源として商用電源（ＡＣ１００Ｖ）が用いられている。
【００３１】
また、一般的には、レンジフード１１０の排気ダクト１０６には、延長用排気筒（図示せず）などが接続されように構成されており、レンジフード１１０のフード部１０３から吸引された台所内の空気は、排気ダクトから上記延長用排気筒を経て、台所の外部に排出されることになる。
【００３２】
そして、レンジフード１１０には、ガスコンロ（図示せず）の信号送出部（図示せず）から送出される換気運転開始用の赤外線信号、および、ガスコンロの信号送出部から送出される換気運転停止用の赤外線信号を受信する信号受信部２００Ｓ（図１）を備えている。
【００３３】
この信号受信部２００Ｓが換気運転開始用の赤外線信号を受信すると、制御部２０（図１、図５参照。）が、排気用ファン１０１を駆動するモータ１０７に通電して、排気用ファン１０１を駆動することで、換気運転を開始するように構成されている。
【００３４】
また、排気用ファン１０１を駆動させた換気運転の実行中に、信号受信部２００Ｓが換気運転停止用の赤外線信号を受信すると、制御部２０（図１、図５参照）が、排気用ファン１０１を駆動するモータ１０７への通電を停止し、排気用ファン１０１の駆動を停止して、換気運転を停止するように構成されている。
【００３５】
また、本実施形態にかかるレンジフード１１０は、操作スイッチ５０として、強運転スイッチ５０ａ、中運転スイッチ５０ｂ、弱運転スイッチ５０ｃ、停止スイッチ５０ｄを備えているとともに、通信スイッチ５０ｅを備えている。
【００３６】
強運転スイッチ５０ａ、中運転スイッチ５０ｂ、弱運転スイッチ５０ｃ、停止スイッチ５０ｄが、本発明における「排気用ファン発停用スイッチ」を構成し、停止スイッチ５０ｄが、後述するように、排気用ファン１０１の駆動を停止する停止スイッチと、本発明における「通信スイッチ」の両方を構成している。
【００３７】
そして、強運転スイッチ５０ａを押し操作することで、モータ１０７が高速（例えば１５００ｒｐｍ）で回転し、強い換気運転を行うように構成されている。
【００３８】
また、中運転スイッチ５０ｂを押し操作することで、モータ１０７が中速（例えば１０５０ｒｐｍ）で回転し、中強度の換気運転を行うように構成されている。
【００３９】
また、弱運転スイッチ５０ｃを押し操作することで、モータ１０７が低速（例えば８５０ｒｐｍ）で回転し、弱い換気運転を行うように構成されている。
【００４０】
また、停止スイッチ５０ｄを押し操作することで、排気用ファン１０１を駆動するモータ１０７への通電を停止し、排気用ファン１０１の駆動を停止して、換気運転を停止するとともに、後述のような通信を行うように構成されている。
【００４１】
＜特徴的構成＞
次に、本発明の実施形態にかかる換気装置（レンジフード）１１０の特徴的な構成について説明する。
【００４２】
本実施形態にかかるレンジフード１１０において、制御部２０は、図５に示すように、換気運転情報などを一時的に記憶する情報一時記憶部２１と、外部機器（例えばスマートフォンなどの携帯端末）２Ｘとの間で通信信号の送受信を行う送受信部２２を備えている。
【００４３】
また、外部機器２Ｘは、図５に示すように、レンジフード１１０の送受信部２２との間で送受信を行う送受信部３２と、操作表示部３３と、レンジフード１１０の運転情報を記憶する換気運転情報記憶部（不揮発性メモリ）３４とを備えている。
【００４４】
なお、図５に示す構成とした場合、本発明とは直接に関係のない効果ではあるが、外部機器２Ｘの送受信部３２が、換気運転情報記憶部３４が記憶する換気運転情報を、換気装置１１０の制御部２０に送ることができる。
【００４５】
そして、制御部２０が、レンジフード１１０に備える操作スイッチ５０（すなわち、強運転スイッチ５０ａ、中運転スイッチ５０ｂ、弱運転スイッチ５０ｃ、停止スイッチ５０ｄ、および、通信スイッチ５０ｅ（本実施形態では、停止スイッチ５０ｄが通信スイッチ５０ｅを兼用している）のいずれか）が操作されたことを検出したとき、制御部２０は、外部機器２Ｘに対して、使用者により上記操作が行われたことを検出した旨の信号を送出するように構成されている。
【００４６】
具体的には、強運転スイッチ５０ａを押し操作することで、モータ１０７が高速（例えば１５００ｒｐｍ）で回転し、強い換気運転が行われるとともに、使用者による操作を検出した旨の信号が送受信部２２から外部機器２Ｘに対して送出される。
【００４７】
また、中運転スイッチ５０ｂを押し操作することで、モータ１０７が中速（例えば１０５０ｒｐｍ）で回転し、中強度で換気運転が行われるとともに、使用者による操作を検出した旨の信号が送受信部２２から外部機器２Ｘに対して送出される。
【００４８】
また、弱運転スイッチ５０ｃを押し操作することで、モータ１０７が低速（例えば８５０ｒｐｍ）で回転し、弱いで換気運転が行われるとともに、使用者による操作を検出した旨の信号が送受信部２２から外部機器２Ｘに対して送出される。
【００４９】
さらに、停止スイッチ５０ｄを押し操作することで、排気用ファン１０１を駆動するモータ１０７への通電が停止され、排気用ファン１０１が停止して換気運転が停止されるとともに、使用者による操作を検出した旨の信号が送受信部２２から外部機器２Ｘに対して送出される。
【００５０】
また、停止スイッチ５０ｄは、通信スイッチ５０ｅを兼用するので、停止スイッチ５０ｄを押し操作した場合には、レンジフード１１０の運転状態にかかわらず、使用者による操作を検出した旨の信号が送受信部２２から外部機器２Ｘに対して送出されるように構成されている。
【００５１】
ただし、本実施形態にかかるレンジフード１１０では、停止スイッチ５０ｄが通信スイッチ５０ｅを兼用するように構成されており、上述のように、レンジフード１１０による換気運転中に停止スイッチ５０ｄを押し操作することで、排気用ファン１０１を駆動するモータ１０７への通電を停止して、排気用ファン１０１の駆動を停止して換気運転を停止するとともに、使用者による操作を検出した旨の信号が送受信部２２から携帯端末などの外部機器２Ｘに対して送出されるように構成されているが、レンジフード１１０による換気運転を行っていない状態で停止スイッチ５０ｄを押し操作したときにも、制御部２０が、使用者による操作を検出した旨の信号を送受信部２２から携帯端末などの外部機器２Ｘに対して送出するように構成されている。
【００５２】
つまり、レンジフード１１０による換気運転を行っていないときには、停止スイッチ５０ｄが、制御部２０が外部機器２Ｘに対して使用者による操作を検出した旨の信号を送出するための通信スイッチとして機能する。したがって、制御部２０は、レンジフード１１０が備えている強運転スイッチ５０ａ、中運転スイッチ５０ｂ、弱運転スイッチ５０ｃ、停止スイッチ５０ｄ、および、通信スイッチ５０ｅのいずれのスイッチが操作されたときにも、携帯端末２Ｘに対して、使用者による操作が検出された旨の信号を送出するように構成されている。
【００５３】
なお、停止スイッチ５０ｄが通信スイッチ５０ｅを兼ねるように構成した場合、通信スイッチとして専用のスイッチを設ける必要がないので、コストの低減を図ることができる。
【００５４】
すなわち、本実施形態にかかる換気装置（レンジフード）１１０は上述のように構成されているので、例えば、換気装置１１０の使用者が高齢者で、携帯端末などの外部機器２Ｘを所持しているものが遠方に居住する高齢者の親族であるような場合において、使用者が排気用ファン発停用スイッチ（本実施形態では、強運転スイッチ５０ａ、中運転スイッチ５０ｂ、弱運転スイッチ５０ｃ、停止スイッチ５０ｄ）、または、通信スイッチ５０ｅ（本実施形態では、停止スイッチ５０ｄが通信スイッチを兼用している）の操作を行った場合に、その旨が携帯端末などの外部機器２Ｘに送信されるため、使用者と離れて遠方に居住する、上記外部機器２Ｘを所持する親族が、外部機器２Ｘにより上記操作が行われたことを知ることで、遠方の高齢者（使用者）の安否を確認することが可能になるとともに、換気が必要でない場合における換気装置の運転（換気運転）によって、エネルギが無駄に消費されるという事態が生じることを抑制することが可能な換気装置を提供することができる。
【００５５】
また、本実施形態にかかる換気装置（レンジフード）１１０においては、無線通信によって、使用者による操作を検出した旨の信号の送信が行われるように構成されている（図２参照）。
【００５６】
具体的には、換気装置（レンジフード）１１０と無線ルータ３Ｘとが無線通信を行い、無線ルータ３Ｘと携帯端末（スマートフォンなど）２Ｘとが無線通信を行うように構成されている。
【００５７】
無線通信によって、上述の使用者による操作が行われた旨の信号の送信が行われるように構成した場合、携帯端末などの外部機器２Ｘとの間で通信信号の送受信を行うための配線の接続が不要になり、構成が簡潔で、使い勝手の良好な換気装置を提供することができる。
【００５８】
また、変形例として、図３に示すように、無線中継器３ＸがインターネットＸに接続されており、無線中継器３Ｘを介して、インターネットＸにより、上述の使用者による操作が行われた旨の信号の、携帯端末などの外部機器２Ｘへの送信が行われるように構成することも可能である。
【００５９】
このように、インターネットＸを介して、上述の使用者による操作が行われた旨の信号の送信が行われるように構成した場合も、レンジフード１１０から離れた位置にある携帯端末などの外部機器２Ｘに、レンジフード１１０において、上述の使用者による操作が行われた旨の信号を確実に送信することが可能であり、設置位置の自由度が高く、使い勝手の良好な換気装置を提供することができる。
【００６０】
また、さらに他の変形例として、換気装置１１０が、図４に示すように、携帯電話回線Ｚを介して、上述の使用者による操作が行われた旨の信号の、携帯端末などの外部機器２Ｘへの送信を行うように構成することも可能である。
【００６１】
このように、携帯電話回線Ｚを介して、上述の使用者による操作が行われた旨の信号の送信が行われるように構成した場合も、換気装置１１０から離れた位置にある携帯端末（外部機器）２Ｘに、上述の使用者による操作が行われた旨の信号の送信を確実に送信することが可能な、設置位置の自由度が高い換気装置を提供することができる。さらに、この構成の場合、インターネットＸにより通信を行う場合に必要となるネット接続のための初期設定が不要で、機器設置に手間がかからず、使い勝手の良好な換気装置を提供することができる。
【００６２】
［別実施形態］
図６は、本発明の別実施形態にかかるに換気装置（レンジフード）１１０と、外部機器（第１外部機器１２Ｘ、第２外部機器２２Ｘ）との無線通信の概要を示すブロック図である。以下に、その構成について説明する。
【００６３】
この別実施形態においても、換気装置１１０の制御部２０は、上述の実施形態にかかる換気装置１１０の場合と同様に、情報一時記憶部（不揮発性メモリ）２１と、送受信部２２とを備えている。
【００６４】
一方、外部機器としては、第１外部機器１２Ｘと、第２外部機器２２Ｘの２つの外部機器を備えた構成とされている。ここでは、外部機器が、サーバである第１外部機器１２Ｘと、端末機器である第２外部機器２２Ｘとから構成されている。
【００６５】
なお、上述の第１外部機器１２Ｘは、インターネットに接続されるサーバであって、換気運転情報記憶部（不揮発性メモリ）１３４と、送受信部１３２を備えている。
【００６６】
また、第２外部機器２２Ｘは、第１外部機器１２Ｘとの間で送受信を行うための送受信部２３２と、第１外部機器１２Ｘの換気運転情報記憶部１３４が記憶する換気運転情報を表示するとともに、条件の設定入力などの操作を行うための操作・表示部２３３とを備えた端末機器であり、例えば、スマートフォンなどがこの第２外部機器２２Ｘとして用いられる。
【００６７】
このように構成した場合も、使用者による上記操作が行われたことが検出されたときに、制御部２０は、スマートフォンなどの第２外部機器２２Ｘに対して、その旨の信号を送出することができる。
【００６８】
なお、図６に示す構成とした場合、本発明とは直接に関係のない効果ではあるが、送受信部２３２と、操作・表示部２３３とを備えた第２外部機器（例えばスマートフォンなどの端末機器）２２Ｘが、第１外部機器（サーバ）１２Ｘとの間で通信を行って、第１外部機器（サーバ）１２Ｘの換気運転情報記憶部１３４に記憶されている換気運転情報を、第２外部機器（例えばスマートフォン）２２Ｘの操作・表示部２３３に表示するとともに、第２外部機器２２Ｘの操作・表示部２３３を操作することにより、第１外部機器１２Ｘの換気運転情報記憶部１３４が記憶する換気運転情報を、換気装置（レンジフード）１１０の制御部２０に送ることができる。
【００６９】
［通信スイッチの変形例］
上記実施形態では、停止スイッチ５０ｄが通信スイッチ５０ｅを兼用するように構成されている形態について説明したが、以下に説明するような構成とすることも可能である。
【００７０】
図７は、変形例にかかる通信スイッチを備えた換気装置１１０の切欠き正面図である。この変形例にかかる換気装置１１０は、フード部１０３の下方を照明する発光部（例えばＬＥＤ）５１と、その操作によって発光部５１による照明の入り切りを行う照明スイッチ５０ｆとを備えており、照明スイッチ５０ｆが通信スイッチ５０ｅを兼用するように構成されている。
【００７１】
この変形例のように、発光部（例えばＬＥＤ）５１と、照明スイッチ５０ｆを備え、照明スイッチ５０ｆが通信スイッチ５０ｅとしても機能するように構成した場合も、専用の通信スイッチを設ける必要がないので、コストの低減を図ることができる。
【００７２】
ただし、本発明の換気装置においては、通信スイッチとして専用のスイッチを設けるように構成することも可能である。
【００７３】
通信スイッチとして専用のスイッチを設ける場合、専用の通信スイッチ上に、または、専用の通信スイッチの近傍に、所定のインターバル時間で、点灯、または、点滅する表示部（図示せず）を備えることが有効である。
【００７４】
そのように構成した場合、使用者が、通信スイッチを操作することを失念することが回避され、本発明をより実効あらしめることができる。
【００７５】
なお、上記表示部（図示せず）を点灯、または、点滅させる所定のインターバル時間としては、１２時間から２４時間が好ましい。使用者は、表示部が点灯、または、点滅したときに、専用の通信スイッチを操作するように取り決めておくことで、高齢の使用者と離れて暮らす親族は、所定のインターバル時間（１２時間から２４時間）に一度使用者の安否が確認できることになり、安否確認の信頼性を向上させることができる。
【００７６】
本発明は、さらにその他の点においても上記実施形態に限定されるものではなく、本発明の範囲内において種々の変形を加えることが可能である。
【符号の説明】
【００７７】
２Ｘ      外部機器（スマートフォンなどの携帯端末）
３Ｘ      無線中継器（無線ルータ）
１２Ｘ    第１外部機器
２０      制御部
２１      情報一時記憶部
２２      送受信部
２２Ｘ    第２外部機器
３２      外部機器の送受信部
３３      外部機器の操作・表示部
３４      換気運転情報記憶部（不揮発性メモリ）
５０      操作スイッチ
５０ａ    強運転スイッチ
５０ｂ    中運転スイッチ
５０ｃ    弱運転スイッチ
５０ｄ    停止スイッチ
５０ｅ    通信スイッチ
５０ｆ    照明スイッチ
５１      発光部（例えばＬＥＤ）
１０１    排気用ファン
１０３    フード部
１０６    排気ダクト
１０７    モータ
１１０    換気装置（レンジフード）
１３２    第１外部機器の送受信部
１３４    第１外部機器の換気運転情報記憶部
２３２    第２外部機器の送受信部
２３３    第２外部機器の操作・表示部
Ｘ        通信経路（インターネット）
Ｙ        通信経路（無線通信回路）
Ｚ        通信経路（携帯電話回線）
２００Ｓ  信号受信部
【図１】
2020133936.tif 000003
【図２】
2020133936.tif 000004
【図３】
2020133936.tif 000005
【図４】
2020133936.tif 000006
【図５】
2020133936.tif 000007
【図６】
2020133936.tif 000008
【図７】
2020133936.tif 000009